(57)【要約】【課題】充電池の充電構造を、部品点数を少なくすると共に小さなスペースにも配置できるようにする。【解決手段】背面側キャビネット４（筐体）内に充電池６を充電するための内部端子８と、少なくとも一部が背面側キャビネット４から露出し、外部電力を取り入れるための外部端子１１とを設ける。外部端子１１を筐体に取り付ける導電性ネジ１３によって外部端子１１と内部端子８とを電気的に接続する。【選択図】図１
2014022889.tif 000002
【特許請求の範囲】
【請求項１】
筐体内に内蔵される充電池を有する携帯端末において、
上記筐体内に設けられ、上記充電池を充電するための内部端子と、
上記筐体に設けられ、少なくとも一部が該筐体から露出し、外部電力を取り入れるための外部端子と、
上記外部端子を上記筐体に固定すると共に、該外部端子と上記内部端子とを電気的に接続する導電性ネジとを備えている
ことを特徴とする携帯端末。
【請求項２】
請求項１に記載の携帯端末において、
上記外部端子は、上記筐体の２つの側面の角部の傾斜面又は湾曲面に設けられている
ことを特徴とする携帯端末。
【請求項３】
請求項２に記載の携帯端末において、
上記導電性ネジは、上記角部において上記筐体の内部からから挿入され、該導電性ネジの頭部と上記筐体のネジ部周辺との間に防水シールが設けられている
ことを特徴とする携帯端末。
【請求項４】
請求項３に記載の携帯端末において、
上記筐体は、蓋部材で覆われ、
上記蓋部材は、上記外部端子を露出させるための充電用窓部を有し、
上記導電性ネジの先端は、上記蓋部材で覆われている
ことを特徴とする携帯端末。
【請求項５】
請求項３又は４に記載の携帯端末において、
上記導電性ネジは、導電性接着剤によって上記外部端子に接着されている
ことを特徴とする携帯端末。
【発明の詳細な説明】
【技術分野】
【０００１】
本発明は、筐体内に内蔵される充電池を有する携帯端末に関し、特にその充電構造に関する。
【背景技術】
【０００２】
従来より、この種の携帯端末では、例えば、特許文献１のように、一対の金属部材と、平板状に形成され、一対の金属部材がそれぞれ平板の両面から露出するように離間されて嵌め込まれた樹脂部材と、樹脂部材の外側面に嵌合されたリング状のゴム部材とを備えた充電端子ユニットが知られている。
【０００３】
このような充電端子ユニットを有する携帯端末は、例えば、図８及び図９に示す携帯電話機１０１のように、背面側キャビネット１０４の内外を貫通するように設けられた一対の窓部１１０と、正面側キャビネット１０３内面に、一対の窓部１１０に対応して充電端子ユニット１０６の樹脂部材１０９を収容する形状に形成されたユニット収容部１１２とを備え、一対の充電端子１１１がそれぞれ一対の窓部１１０を介して背面側キャビネット１０４外部に露出するとともに、正面側キャビネット１０３内部に露出し、基板１０７の内部端子１０８に接触するようになっている。また、防水シール１１４がユニット収容部１１２の内面に密着するように、充電端子ユニット１０６がユニット収容部１１２に嵌め込まれるようになっている。
【０００４】
また、特許文献２の電子機器では、筐体部材と、この筐体部材に着脱可能であり、開口部が形成された蓋体と、この筐体部材に保持され、開口部から露出する端子とを有し、この端子が開口部内に挿入される位置と開口部から退避した位置との間で移動可能な外部端子部と、外部端子部を挿入される位置へ付勢する弾性部材とを備えることが知られている。
【先行技術文献】
【特許文献】
【０００５】
【特許文献１】特開２００９−１４０８３４号公報
【特許文献２】特開２０１０−２２００８２号公報
【発明の概要】
【発明が解決しようとする課題】
【０００６】
しかしながら、上記特許文献１のような構造では、充電端子１１１が樹脂部材１０９に固定された一組の充電端子ユニット１０６となっており、部品点数が多くてサイズが大きく、広い設置スペースを要するという問題がある。
【０００７】
また、上記特許文献２のような構造では、充電端子自体の構造が複雑で部品点数が多く、一度挿入すると取り外しができないという問題がある。
【０００８】
本発明は、かかる点に鑑みてなされたものであり、その目的とするところは、充電池の充電構造において、部品点数を減らしながら小さなスペースにも配置できるようにすることにある。
【課題を解決するための手段】
【０００９】
上記の目的を達成するために、この発明では、外部端子を筐体に固定する導電性ネジを使用した。
【００１０】
具体的には、第１の発明では、筐体内に内蔵される充電池を有する携帯端末を対象とする。
【００１１】
そして、上記携帯端末は、
上記筐体内に設けられ、上記充電池を充電するための内部端子と、
上記筐体に設けられ、少なくとも一部が該筐体から露出し、外部電力を取り入れるための外部端子と、
上記外部端子を上記筐体に固定すると共に、該外部端子と上記内部端子とを電気的に接続する導電性ネジとを備えている。
【００１２】
上記の構成によると、外部端子を固定するネジを外部端子と内部端子とを電気的に接続する部品とを兼用しているので、従来の充電端子ユニットのようなユニット部品に比べて部品点数が減り、占めるスペースも少なくて済む。ネジ式であるので、外部端子の交換も容易である。
【００１３】
第２の発明では、第１の発明において、
上記外部端子は、上記筐体の２つの側面の角部の傾斜面又は湾曲面に設けられている。      
【００１４】
上記の構成によると、２つの側面の角部の傾斜面又は湾曲面のような狭いスペースに外部端子を配置できるので、携帯端末の厚さを薄くできる。
【００１５】
第３の発明では、第２の発明において、
上記導電性ネジは、上記角部において上記筐体の内部からから挿入され、該導電性ネジの頭部と上記筐体のネジ部周辺との間に防水シールが設けられている。
【００１６】
上記の構成によると、ネジ頭が露出しないので、見映えがよく、また、締め付けにより、ネジ頭とネジ部周辺とで確実に防水される。
【００１７】
第４の発明では、第３の発明において、
上記筐体は、蓋部材で覆われ、
上記蓋部材は、上記外部端子を露出させるための充電用窓部を有し、
上記導電性ネジの先端は、上記蓋部材で覆われている。
【００１８】
上記の構成によると、導電性ネジの先端自体は、蓋部材に隠れるので、見映えがよい。
【００１９】
第５の発明では、第３又は第４の発明において、
上記導電性ネジは、導電性接着剤によって上記外部端子に接着されている。
【００２０】
上記の構成によると、導電性ネジの抜け止め用の接着剤を導電性接着剤とすることで、導電性を低下することなく、導電性ネジが確実に抜け止めされる。
【発明の効果】
【００２１】
以上説明したように、本発明によれば、筐体内に充電池を充電するための内部端子を設け、少なくとも一部が筐体から露出する、外部電力を取り入れるための外部端子を導電性ネジで状態に固定すると共に、外部端子と内部端子とを電気的に接続するようにしたことにより、部品点数を減らすことができると共に、省スペースを達成できる。
【図面の簡単な説明】
【００２２】
【図１】図３のＩ−Ｉ線拡大断面図である。
【図２】本発明の実施形態に係る携帯電話機を背面側から見た斜視図である。
【図３】携帯電話機の左側面図である。
【図４】携帯電話機を背面側から見た分解斜視図である。
【図５】図３のＶ−Ｖ線拡大断面図である。
【図６】外部端子、導電性ネジ、内部端子及びその周辺を拡大して示す斜視図である。
【図７】導電性ネジ及び外部端子を拡大して示す斜視図である。
【図８】従来技術に係る図１相当図である。
【図９】従来技術に係る充電構造の分解斜視図である。
【発明を実施するための形態】
【００２３】
以下、本発明の実施形態を図面に基づいて説明する。
【００２４】
図１〜図５に本発明の実施形態に係る携帯端末としての携帯電話機（スマートフォン）１を示し、この携帯電話機１は、正面側に表示部２を収容する正面側キャビネット３を有し、この正面側キャビネット３の背面側に筐体としての背面側キャビネット４が連結されている。背面側キャビネット４の背面は、蓋部材としてのリアカバー５で覆われ、このリアカバー５により充電池６が覆われている。充電池６の正面側には、メイン基板７が配置され、このメイン基板７には、充電池６を充電するための内部端子８が接続されている。内部端子８は、弾性を有する導電性金属よりなる。
【００２５】
一方、図２に示すように、リアカバー５の背面から見て右側下部には、充電池６を充電するための一対の充電用窓部１０が上下に間隔をあけて形成されている。各充電用窓部１０から外部電力を取り入れるための外部端子１１の接触部１１ａが露出している。図１及び図７に拡大して示すように、この外部端子１１は、ネジ孔１１ｂを有し、このネジ孔１１ｂに正面側キャビネット３に形成したネジ挿通孔１２に内側から挿入された導電性ネジ１３の先端を締結することで、正面側キャビネット３に固定されている。ネジ挿通孔１２は、正面側キャビネット３の左側面と背面とで形成される角部の湾曲面に形成されている。ネジ挿通孔１２の周縁には、シール用溝１２ａが形成され、そのシール用溝１２ａには、Ｏリングなどの防水シール１４が嵌合され、導電性ネジ１３を内側から締め付けたときに、その頭部１３ａによって圧縮されて防水効果を発揮するようになっている。また、導電性ネジ１３は、導電性接着剤によって外部端子１１に接着されることで、導電性を失うことなく背面側キャビネット４に抜け止めされている。さらに、図１及び図２に示すように、導電性ネジ１３の先端自体はリアカバー５に隠れて露出しないので、見映えがよい。
【００２６】
そして、図６に背面側キャビネット４を省略して示すように、導電性ネジ１３の頭部１３ａが内部端子８に接触することで、外部端子１１と内部端子８とが電気的に接続されている。
【００２７】
このように、外部端子１１を固定するネジと、外部端子１１と内部端子８とを電気的に接続する部品とを兼用しているので、図８及び図９に示す従来の充電端子ユニット６のようなユニット部品に比べて部品点数が減り、占めるスペースも少なくて済む。このため、２つの側面の角部の傾斜面又は湾曲面のような狭いスペースに外部端子１１を配置できるので、携帯電話機１の厚さをさらに薄くできる。
【００２８】
また、特許文献２のような嵌め込み式の外部端子と違ってネジ式であるので、外部端子１１の交換も容易である。
【００２９】
したがって、本実施形態に係る携帯電話機１によると、充電構造の部品点数を減らすことができると共に、省スペースを達成できる。
【００３０】
（その他の実施形態）
本発明は、上記実施形態について、以下のような構成としてもよい。
【００３１】
すなわち、上記実施形態では、充電用窓部１０を背面から見て右側下部の湾曲面に設けたが、この位置は特に限定されず、左側下部、右側上部などでもよく、場合によっては平坦面に設けてもよい。
【００３２】
また、上記実施形態では、携帯端末は、携帯電話機としたが、ＰＨＳ（Personal Handy-phone System ）、ＰＤＡ(Personal Digital Assistant)、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。
【産業上の利用可能性】
【００３４】
以上説明したように、本発明は、筐体内に内蔵される充電池を有する携帯電話機などの携帯端末について有用である。
【符号の説明】
【００３５】
１      携帯電話機（携帯端末）
２      表示部
３      正面側キャビネット
４      背面側キャビネット（筐体）
５      リアカバー（蓋部材）
６      充電池
７      メイン基板
８      内部端子
１０      充電用窓部
１１      外部端子
１１ａ    接触部
１１ｂ    ネジ孔
１２      ネジ挿通孔
１２ａ    シール用溝
１３      導電性ネジ
１３ａ    頭部
１４      防水シール
【図１】
2014022889.tif 000003
【図２】
2014022889.tif 000004
【図３】
2014022889.tif 000005
【図４】
2014022889.tif 000006
【図５】
2014022889.tif 000007
【図６】
2014022889.tif 000008
【図７】
2014022889.tif 000009
【図８】
2014022889.tif 000010
【図９】
2014022889.tif 000011